(57)【要約】【課題】  長期にわたって使用された場合でも、ダンパーの適正な動作を維持することができるアップライトピアノのダンパー装置を提供する。【解決手段】  押鍵に伴って回動するウィッペン６と、一端部においてウィッペン６に連結されたコード２５と、ダンパーレバーフレンジ２１と、上下方向に延び、その中央において、左右方向に延びる軸線を中心としてダンパーレバーフレンジ２１に回動自在に支持されるとともに、コード２５の他端部が連結されたダンパー２０と、ダンパー２０を弦Ｓ側に付勢し、離鍵状態において、ダンパー２０に弦Ｓを押圧させるダンパーレバースプリング２４と、を備え、ダンパー２０は、押鍵に伴ってウィッペン６が回動する際、コード２５により牽引されることによって、ダンパーレバースプリング２４のばね力に抗して回動し、弦Ｓから離れる。【選択図】  図２
2008170552.tif 000002
【特許請求の範囲】
【請求項１】
鍵の押鍵に伴い、弦から離れることによりピアノ音の発生を許容するとともに、前記鍵の離鍵に伴い、前記発生したピアノ音を止音するために前記弦を押圧するアップライトピアノのダンパー装置であって、
押鍵に伴って回動するウィッペンと、
一端部において前記ウィッペンに連結されたコードと、
ダンパーレバーフレンジと、
上下方向に延び、その中央において、左右方向に延びる軸線を中心として前記ダンパーレバーフレンジに回動自在に支持されるとともに、前記コードの他端部が連結されたダンパーと、
前記ダンパーを前記弦側に付勢し、離鍵状態において、前記ダンパーに前記弦を押圧させるダンパーレバースプリングと、を備え、
前記ダンパーは、押鍵に伴って前記ウィッペンが回動する際、前記コードにより牽引されることによって、前記ダンパーレバースプリングのばね力に抗して回動し、前記弦から離れることを特徴とするアップライトピアノのダンパー装置。
【請求項２】
前記ウィッペンには、前記ダンパーに近接する部位に、ワイヤが立設され、
前記コードの前記一端部は、前記ワイヤに連結されていることを特徴とする請求項１に記載のアップライトピアノのダンパー装置。
【発明の詳細な説明】
【技術分野】
【０００１】
本発明は、鍵の押鍵に伴い、弦から離れることによりピアノ音の発生を許容するとともに、鍵の離鍵に伴い、発生したピアノ音を止音するために弦を押圧するアップライトピアノのダンパー装置に関する。
【背景技術】
【０００２】
従来のこの種のダンパー装置として、例えば特許文献１に開示されたものが知られている。このダンパー装置は、一般的なダンパー装置と同様に構成されており、センターレールに固定されたダンパーレバーフレンジ（支持部材）と、このダンパーレバーフレンジに回動自在に設けられたダンパーレバーと、ダンパーレバーの上端部にダンパーレバーワイヤを介して設けられたダンパーヘッドを有している。ダンパーレバーは、ダンパーレバースプリングによって、後方に配置された弦側に付勢されており、それにより、離鍵状態においてダンパーヘッドが弦を押圧する。
【０００３】
また、ダンパーレバーの前面の下端部にはフェルトが貼り付けられており、ウィッペンの後端部には、ダンパーレバーのフェルトに対向するようにスプーンが立設されている。このスプーンは、通常、真鍮などの硬い金属で構成され、幅が狭く形成されている。
【０００４】
押鍵に伴い、スプーンは、ウィッペンと一緒に回動し、フェルトに当接する。これにより、ダンパーレバーが駆動され、ダンパーレバースプリングのばね力に抗して回動することによって、ダンパーヘッドが弦から離れ、その直後の打弦による弦の振動、およびそれによるピアノ音の発生が許容される。また、離鍵に伴い、ダンパーレバースプリングのばね力により、ダンパーレバーが弦側に回動し、ダンパーヘッドが弦を押圧することによって、弦の振動およびピアノ音の発生が停止される。
【０００５】
上述したように、この従来のダンパー装置では、押鍵に伴ってダンパーレバーが駆動される際、幅が狭く硬い金属製のスプーンが、ダンパーレバーのフェルトに当接する。そして、このようなスプーンの当接が押鍵ごとに繰り返し行われるので、長期にわたる使用により、スプーンとのフェルトの当接部分が集中的に削られ、薄くなってしまう。その結果、押鍵時にスプーンがフェルトに当接するタイミングが遅れることにより、ダンパーレバーの動作の開始タイミングが遅れるようになるため、ダンパーの適正な動作を確保することができない。
【０００６】
本発明は、上記のような課題を解決するためになされたものであり、長期にわたって使用された場合でも、ダンパーの適正な動作を維持することができるアップライトピアノのダンパー装置を提供する。
【０００７】
【特許文献１】特開平７−２３０２７８号公報
【発明の開示】
【課題を解決するための手段】
【０００８】
上記の目的を達成するために、請求項１に係る発明は、鍵の押鍵に伴い、弦から離れることによりピアノ音の発生を許容するとともに、鍵の離鍵に伴い、発生したピアノ音を止音するために弦を押圧するアップライトピアノのダンパー装置であって、押鍵に伴って回動するウィッペンと、一端部においてウィッペンに連結されたコードと、ダンパーレバーフレンジと、上下方向に延び、その中央において、左右方向に延びる軸線を中心としてダンパーレバーフレンジに回動自在に支持されるとともに、コードの他端部が連結されたダンパーと、ダンパーを弦側に付勢し、離鍵状態において、ダンパーに弦を押圧させるダンパーレバースプリングと、を備え、ダンパーは、押鍵に伴ってウィッペンが回動する際、コードにより牽引されることによって、ダンパーレバースプリングのばね力に抗して回動し、弦から離れることを特徴とする。
【０００９】
このアップライトピアノのダンパー装置によれば、離鍵状態では、ダンパーレバースプリングのばね力によって、ダンパーが弦側に回動した状態で弦を押圧するとともに、押鍵に伴ってウィッペンが回動すると、ダンパーは、ウィッペンとダンパーとの間に連結されたコードで牽引されることによって、ダンパーレバースプリングのばね力に抗して回動する。それにより、ダンパーが弦から離れ、弦の振動によるピアノ音の発生が許容される。
【００１０】
このように、ダンパーは、コードで牽引されることにより回動するので、押鍵が繰り返し行われたとしても、従来のダンパー装置のようなスプーンの当接によるダンパーの損傷は全く生じない。その結果、アップライトピアノが長期にわたって使用された場合でも、ダンパーの回動の開始タイミングを一定に維持でき、ダンパーの適正な動作を維持することができる。
【００１１】
請求項２に係る発明は、請求項１に記載のアップライトピアノのダンパー装置において、ウィッペンには、ダンパーに近接する部位に、ワイヤが立設され、コードの一端部は、ワイヤに連結されていることを特徴とする。
【００１２】
この構成によれば、コードの一端部が、ウィッペンに立設されたワイヤに連結されているので、ワイヤを曲げることにより、ワイヤとダンパーの間に連結されたコードの緩みを調整できる。これにより、押鍵に伴ってコードがダンパーを牽引し始めるタイミングを調整でき、したがって、ダンパーが弦から離れるタイミングを容易に調整することができる。
【発明を実施するための最良の形態】
【００１３】
以下、本発明の好ましい実施形態を、図面を参照しながら詳細に説明する。図１は、本発明の一実施形態によるアップライトピアノのダンパー装置１、鍵盤２およびアクション３などを、離鍵状態において示している。なお、以下の説明では、演奏者側から見たときのアップライトピアノの手前側を「前」、奥側を「後」として説明する。
【００１４】
鍵盤２は、左右方向に並んだ多数の鍵２ａ（１つのみ図示）によって構成されている。各鍵２ａは、前後方向（図１の左右方向）のほぼ中央において、筬５に立設されたバランスピン５ａを介して、筬５に回動自在に支持されている。また、アクション３は、鍵盤２の後端部の上方に配置されており、棚板４に載置された複数のアクションブラケット（図示せず）に取り付けられている。アクション３は、ウィッペン６、バット７およびジャック８などを鍵２ａごとに有している（いずれも１つのみ図示）。
【００１５】
複数のアクションブラケットの間には、センターレール９が渡されており、その下端部には、ウィッペンフレンジ６ａが鍵２ａごとにねじ止めされている（１つのみ図示）。ウィッペン６は、例えば合成樹脂の成形品で構成され、前後方向に長い所定の形状を有しており、その後部において、ウィッペンフレンジ６ａに回動自在に取り付けられている。また、ウィッペン６は、その前部において、鍵２ａの後端部に設けられたキャプスタンスクリュー２ｂに載置されている。
【００１６】
ジャック８はウィッペン６に回動自在に取り付けられており、両者８、６の間には、ジャックスプリング８ａが設けられている。また、センターレール９の前面上端部にはバットフレンジ７ａが固定されており、バット７は、このバットフレンジ７ａに回動自在に取り付けられている。
【００１７】
また、バット７にはハンマー１０が一体に設けられており、両者７、１０によってハンマー組立て品１１が構成されている。ハンマー組立て品１１は、バット７の下端部を介してジャック８に支持されており、ハンマー１０は、後方に張られた弦Ｓに対向している。また、バット７とバットフレンジ７ａの間には、ハンマー組立て品１１を弦Ｓと反対側（前側）に付勢するバットスプリング７ｂが設けられている。また、バット７の前面には、キャッチャー７ｃが一体に設けられている。
【００１８】
また、ウィッペン６のジャック８よりも前側には、順にバックチェックワイヤ６ｃおよびブライドルワイヤ６ｄが立設されている。バックチェックワイヤ６ｃの上端部にはバックチェック６ｅが設けられており、ブライドルワイヤ６ｄの上端部とキャッチャー７ｃは、ブライドルテープ７ｄにより連結されている。
【００１９】
ダンパー装置１は、センターレール９に鍵２ａごとに設けられており（１つのみ図示）、図２に示すように、センターレール９の上面にねじ止めされたダンパーレバーフレンジ２１と、このダンパーレバーフレンジ２１に回動自在に支持されたダンパー２０と、前述したウィッペン６などにより構成されている。
【００２０】
ダンパーレバーフレンジ２１は、例えば合成樹脂の成形品で構成された厚い板状のものであり、左右の端部には、後方に突出する左右一対のレバー支持部２１ｂ，２１ｂが設けられている（１つのみ図示）。ダンパー２０は、ダンパーレバー２２と、ダンパーレバー２２に連結されたダンパーヘッド２３などを有している。ダンパーレバー２２は、合成樹脂の成形品または木質材で構成され、上下方向に長く延びており、その中央には、水平なピン２２ａが、左右両側に突出するように設けられている。そして、ピン２２ａが、ダンパーレバーフレンジ２１の左右の支持部２１ｂ、２１ｂに取り付けられることにより、ダンパーレバー２２は、ダンパーレバーフレンジ２１に回動自在に支持されている。
【００２１】
ダンパーレバー２２にはダンパーワイヤ２２ｂが立設されており、ダンパーヘッド２３は、ダンパーワイヤ２２ｂの上端部に一体に設けられている。ダンパーヘッド２３は、ダンパーワイヤ２２ｂの上端部に取り付けられたダンパーブロック２３ａと、ダンパーブロック２３ａの背面に貼り付けられたダンパーフェルト２３ｂを有している。
【００２２】
また、ダンパーレバー２２の前面の上端部には、上下方向に延びるスプリング係合溝２２ｄが形成されており、ダンパーレバーフレンジ２１には、そのレバー支持部２１ｂ、２１ｂよりも前側に、ピン２１ａが設けられている。スプリング係合溝２２ｄとピン２１ａの間には、ダンパーレバースプリング２４が設けられている。このダンパーレバースプリング２４は、ダンパーレバー２２を、ピン２２ａを中心として図２の反時計方向に付勢しており、それにより、ダンパーヘッド２３が弦Ｓを押圧している。
【００２３】
また、ダンパーレバー２２の前面の下部には、その上側の面よりも後ろ側に若干、後退した段差面２２ｃが形成されている。この段差面２２ｃの上部にはフェルト２２ｂが貼り付けられている。一方、センターレール９とダンパーレバー２２の下端部の間には、ダンパーロッド（図示せず）が設けられており、このダンパーロッドには、ダンパーペダル（図示せず）が連結されている。ダンパーロッドは、ダンパーペダルの踏込みに伴ってフェルト２２ｂを押圧し、ダンパー２０を駆動する。それにより、ダンパー２０が、ダンパーペダルが踏み込まれている間、ダンパーレバースプリング２４の付勢力に抗して時計方向に回動し、弦Ｓから離れた状態に維持されることによって、ピアノ音にダンパーペダル効果が付与される。
【００２４】
一方、ウィッペン６には、ダンパーレバー２２の下端部よりも後ろ側の部位に、ワイヤ２６が立設されている。このワイヤ２６は、例えば真鍮で構成されており、上端部が図３に示すような三角形状に折り曲げられている。
【００２５】
このワイヤ２６とダンパレバー２２の間には、コード２５が設けられている。コード２５は、綿を織った布で構成され、所定の幅および長さを有するテープ状に形成されている。コード２５の前端部は、ダンパーレバー２２の段差面２２ｃの下端部に接着されている。また、図３に示すように、コード２５の後端部には孔２５ａが設けられており、コード２５は、その後端部がワイヤ２６の三角形状の部分に通されるとともに、孔２５ａにワイヤ２６の先端部が差し込まれ、若干の緩みをもった状態で、ワイヤ２６に係合している。以上のように、コード２５は、ダンパー２０とワイヤ２６の間に連結されている。
【００２６】
次いで、上述した構成のダンパー装置１の動作について説明する。図１に示す離鍵状態から鍵２ａが押鍵されると、ウィッペン６が鍵２ａで突き上げられることにより上方に回動する。それに伴い、ジャック８がウィッペン６と一緒に上方に移動し、ハンマー組立て品１１がジャック８で突き上げられることにより、バットスプリング７ｂのばね力に抗して回動する。また、ワイヤ２６はウィッペン６と一緒に回動し、後方に移動する。それに伴い、ワイヤ２６に係合するコード２５が後方に牽引される。
【００２７】
押鍵がさらに進み、コード２５の緩みがなくなると、コード２５によってダンパーレバー２２の下端部が後方に牽引される。それにより、図４に示すように、ダンパー２０は、ピン２２ａを中心として、ダンパーレバースプリング２４のばね力に抗して時計方向に回動し、ダンパーヘッド２３が弦Ｓから離れることによって、その後のハンマー１０の打弦による弦Ｓの振動が許容される。
【００２８】
さらに押鍵が進み、ジャック８が、センターレール９に取り付けられたレギュレティングボタン９ａに係合することにより、ジャックスプリング８ａのばね力に抗して回動する。そして、ジャック８がバット７から離脱し、ハンマー組立て品１１がさらに回動し、ハンマー１０が弦Ｓを打弦することによって、弦Ｓの振動によるピアノ音が発生する。
【００２９】
鍵２ａが離鍵されると、ウィッペン６が押鍵時と逆方向に回動するのに伴い、ワイヤ２６が前方に移動する。それにより、ダンパー２０に対する牽引力が失われることによって、ダンパー２０は、ダンパーレバースプリング２４のばね力によって反時計方向に回動し、ダンパーヘッド２３が弦Ｓに当接し、これを押圧することによって、弦Ｓの振動およびピアノ音が停止する。
【００３０】
以上のように、本実施形態のダンパー装置１によれば、ダンパー２０は、押鍵に伴ってコード２５で牽引されることにより回動するので、押鍵が繰り返し行われたとしても、従来のダンパー装置のようなスプーンの当接によるダンパーの損傷は全く生じない。その結果、アップライトピアノが長期にわたって使用された場合でも、ダンパー２０の回動の開始タイミングを一定に維持でき、ダンパー２０の適正な動作を維持することができる。
【００３１】
また、コード２５の後端部が、ウィッペン６に立設されたワイヤ２６に連結されているので、ワイヤ２６を曲げることにより、離鍵状態におけるコード２５の緩みを調整できる。これにより、押鍵に伴ってコード２５がダンパー２０を牽引し始めるタイミングを調整でき、したがって、ダンパー２０が弦Ｓから離れるタイミングを容易に調整することができる。
【００３２】
図５は、ダンパーレバーの変形例を示している。同図に示すように、この変形例によるダンパーレバー３１の下端部には、左右の側面と下面に開口するスリット３１ａが形成されている。また、前述した実施形態では、ダンパーレバー２２の段差面２２ｃに、コード２５の上端部が貼り付けられているのに対し、本変形例では、コード２５の上端部が、スリット３１ａに挿入された状態で、ねじ止めまたは接着により、ダンパーレバー３１に取り付けられている。
【００３３】
なお、本発明は、説明した実施形態および変形例に限定されることなく、種々の態様で実施することができる。例えば、実施形態および変形例では、コード２５の後端部を、ウィッペン６に立設したワイヤ２６に係合させているが、これに限定されることなく、ウィッペン６に直接、取り付けてもよい。また、ダンパーレバーへのコード２５の取付け方法として、例えば、コード２５の上端部に樹脂を含浸させ、これを硬化させた後、ダンパーレバーにねじ止めによって取り付けてもよい。その他、細部の構成を、本発明の趣旨の範囲内で適宜、変更することが可能である。
【図面の簡単な説明】
【００３４】
【図１】本発明の一実施形態によるアップライトピアノのダンパー装置、鍵盤、アクションおよびハンマーなどを、離鍵状態において示す側面図である。
【図２】図１のダンパー装置を示す部分拡大側面図である。
【図３】図１のダンパー装置の一部を示す斜視図である。
【図４】押鍵に伴い、ダンパーなどが回動した状態を示すダンパー装置の側面図である。
【図５】図１のダンパー装置の変形例の一部を示す斜視図である。
【符号の説明】
【００３５】
１    ダンパー装置
２ａ  鍵
６    ウィッペン
２０    ダンパー
２１    ダンパーレバーフレンジ
２４    ダンパーレバースプリング
２５    コード
２６    ワイヤ
Ｓ    弦
【図１】
2008170552.tif 000003
【図２】
2008170552.tif 000004
【図３】
2008170552.tif 000005
【図４】
2008170552.tif 000006
【図５】
2008170552.tif 000007